(57)【要約】【課題】第１容器１と第２容器２とを接続する蒸気ダクト１６中に，正逆回転可能にした蒸気圧縮機１７を設け，この蒸気圧縮機１７を第１容器から第２容器の方向に蒸気圧縮を行うように正方向に回転して冷房運転にし，前記蒸気圧縮機を第２容器から第１容器の方向に蒸気圧縮を行うように逆方向に回転して暖房運転にする蒸発式空調装置において，そのランニングコストの低減を図るとともに，冷房運転の際における大気の上昇に伴う冷暖房箇所の温度上昇を防止する。【解決手段】前記蒸気ダクト１６に前記蒸気圧縮機１７に対するバイパス蒸気通路１９を設けて，このバイパス蒸気通路に通常閉の蒸気バイパス弁２０を設け，前記冷房運転中において，前記第２容器２側の温度が前記第１容器１側の温度よりも低くなったとき，前記蒸気圧縮機の回転を停止する一方，前記蒸気バイパス弁２０を開く構成にする。【選択図】図１
2008261604.tif 000002
【特許請求の範囲】
【請求項１】
少なくとも，減圧に保持した第１容器及び第２容器と，冷暖房箇所に設置した冷暖房用熱交換器と，大気との間で熱交換を行う放吸熱用熱交換器とを備え，更に，前記第１容器内における蒸発性液体を前記冷暖房用熱交換器との間を循環する第１循環手段と，前記第２容器内における蒸発性液体を前記放吸熱用熱交換器との間を循環する第２循環手段と，前記第１容器と第２容器の相互間を接続する蒸気ダクト中に正逆回転可能な回転式蒸気圧縮機を設け，この蒸気圧縮機を前記第１容器から前記第２容器の方向に蒸気圧縮を行うように正方向に回転することで冷房運転にする一方，前記蒸気圧縮機を逆に前記第２容器から前記第１容器の方向に蒸気圧縮を行うように逆方向に回転することで暖房運転にするように構成して成る蒸発式空調装置において，
前記蒸気ダクトに前記蒸気圧縮機に対するバイパス蒸気通路を設けて，このバイパス蒸気通路に，前記冷房運転及び暖房運転のときに通常閉の蒸気バイパス弁を設け，前記冷房運転中において，前記第２容器側の温度が前記第１容器側の温度よりも低くなったとき，前記蒸気圧縮機の回転を停止する一方，前記蒸気バイパス弁を開く構成にしたことを特徴とする蒸発式空調装置。
【請求項２】
前記請求項１の記載において，前記冷房運転中において前記蒸気バイパス弁を開くときにおける当該蒸気バイパス弁の開度を，前記第１容器側の温度又は前記第２容器側の温度に応じて，この温度が下がると小さく，この温度が上がると大きくするように制御する一方，前記暖房運転中において前記蒸気圧縮機を逆回転しているときの回転数を，前記第１容器側の温度又は前記第２容器側の温度に応じて，この温度が下がると加速し，この温度が上がると減速するように制御することを特徴とする蒸発式空調装置。
【請求項３】
前記請求項１の記載において，前記冷房運転中において前記蒸気バイパス弁が開くときにおける当該蒸気バイパス弁の開度を，前記第１容器側の温度又は前記第２容器側の温度に応じて，この温度が下がると小さく，この温度が上がると大きくするように制御する一方，前記暖房運転中において，前記蒸気バイパス弁を，前記第１容器側の温度又は前記第２容器側の温度上昇に比例して開くように制御することを特徴とする蒸発式空調装置。
【発明の詳細な説明】
【技術分野】
【０００１】
本発明は，例えば，水等のような蒸発性を有する液体，つまり，蒸発性液体を使用して，大気空気にて冷暖房を行うようにした蒸発式の空調装置に関するものである。
【背景技術】
【０００２】
先行技術としての特許文献１には，
「少なくとも，減圧に保持した第１容器及び第２容器と，冷暖房箇所に設置した冷暖房用熱交換器と，大気空気との間で熱交換を行う放吸熱用熱交換器とを備え，更に，前記第１容器内における水等の蒸発性液体を前記冷暖房用熱交換器との間を循環する第１循環手段と，前記第２容器内における水等の蒸発性液体を前記放吸熱用熱交換器との間を循環する第２循環手段と，前記第１容器と第２容器の相互間を接続する蒸気ダクト中に回転式の蒸気圧縮機を設けて成る。」
構成が記載されている。
【０００３】
この先行技術の構成においては，前記蒸気圧縮機を，前記第１容器から前記第２容器の方向に蒸気圧縮を行うように正方向に回転するとき，前記第１容器における蒸発性液体は沸騰蒸発にて所定温度に冷却されたのち冷暖房用熱交換器に送られたのち再び前記第１容器に戻って沸騰蒸発することを繰り返す一方，前記第１容器内での沸騰蒸発にて発生した蒸気は前記蒸気圧縮機にて圧縮されたのち前記第２容器に至り，この第２容器における蒸発性液体にて凝縮され，この蒸気凝縮にて温度が高くなった蒸発性液体は放吸熱用熱交換器に送られて大気空気との熱交換にて冷却されたのち再び前記第２容器に戻って蒸気を凝縮することを繰り返すから，冷暖房箇所の冷房を行うという冷房運転にすることができる。
【０００４】
また，前記蒸気圧縮機を，今度は，前記第２容器から前記第１容器の方向に蒸気圧縮を行うように逆方向に回転すると，前記第２容器における蒸発性液体は沸騰蒸発にて所定温度に冷却されたのち放吸熱用熱交換器に送られ，ここで，大気空気との熱交換にて暖められたのち再び前記第２容器に戻って沸騰蒸発することを繰り返す一方，前記第２容器内での沸騰蒸発にて発生した蒸気は前記蒸気圧縮機にて圧縮されたのち前記第１容器に至り，この第１容器における蒸発性液体にて凝縮され，この蒸気の凝縮にて温度が高くなった蒸発性液体は冷暖房用熱交換器に送られたのち再び前記第１容器に戻って蒸気を凝縮することを繰り返すから，冷暖房箇所の暖房を行うという暖房運転にすることができる。
【特許文献１】特開２００６−９７９８９号公報
【発明の開示】
【発明が解決しようとする課題】
【０００５】
前記先行技術の装置は，前記したように，蒸発性液体を使用して，大気にて冷房及び暖房を行うように構成したものであるが，前記第１容器及び第２容器のうち第２容器側の温度は，当該第２容器における蒸発性液体が放吸熱用熱交換器において熱交換を行う大気の温度によって決まる一方，この大気の温度は，四季の変化等において可成り大きく変動する。
【０００６】
前記冷房運転中において，大気の温度が低くなることに伴い，第２容器側の温度が，前記第１容器から冷暖房箇所に供給する蒸発性液体の温度，つまり，第１容器側の温度，ひいては，冷暖房箇所において必要とする所定温度よりも低くなるように下がる場合があり，このような場合においては，第１容器で発生した蒸気を，前記蒸気圧縮機を使用することなく第２容器に導いて凝縮することができる。
【０００７】
しかし，前記した先行技術の装置では，前記蒸気圧縮機を，冷房運転中の全てにわたって常時運転するという構成にしているから，前記したように，大気の温度が下がることに伴って，前記第２容器側における温度が第１容器側における所定温度よりも低くなった状態においては，前記蒸気圧縮機が無駄に運転されることになり，この無駄な運転により冷暖房に要するランニングコストが嵩むという問題があった。
【０００８】
このランニングコストの低減を図るには，第２容器側の温度が第１容器側の所定温度よりも低くなった場合に，前記蒸気圧縮機の回転を停止するように構成すれば良いが，この構成にした場合には，第１容器から第２容器への蒸気の流れが，前記蒸気圧縮機の回転停止によって殆ど閉ざされた状態になって，第１容器での沸騰蒸発が略完全に止まることになるから，前記第１容器での沸騰蒸発による蒸発性液体の冷却を持続することができず，ひいては，冷暖房用熱交換器に送られる蒸発性液体の温度が，冷暖房箇所における熱負荷を受けて上昇し，冷暖房箇所に供給する蒸発性液体における温度を，当該冷暖房箇所において必要とする所定温度に維持することができないという事態を招来することになる。
【０００９】
本発明は，冷房運転と暖房運転とを，前記したような問題を招来することなく，確実に行うことができるようにした蒸発式の空調装置を提供することを技術的課題とするものである。
【課題を解決するための手段】
【００１０】
この技術的課題を達成するため請求項１は，
「少なくとも，減圧に保持した第１容器及び第２容器と，冷暖房箇所に設置した冷暖房用熱交換器と，大気との間で熱交換を行う放吸熱用熱交換器とを備え，更に，前記第１容器内における蒸発性液体を前記冷暖房用熱交換器との間を循環する第１循環手段と，前記第２容器内における蒸発性液体を前記放吸熱用熱交換器との間を循環する第２循環手段と，前記第１容器と第２容器の相互間を接続する蒸気ダクト中に正逆回転可能な回転式蒸気圧縮機を設け，この蒸気圧縮機を前記第１容器から前記第２容器の方向に蒸気圧縮を行うように正方向に回転することで冷房運転にする一方，前記蒸気圧縮機を逆に前記第２容器から前記第１容器の方向に蒸気圧縮を行うように逆方向に回転することで暖房運転にするように構成して成る蒸発式空調装置において，
前記蒸気ダクトに前記蒸気圧縮機に対するバイパス蒸気通路を設けて，このバイパス蒸気通路に，前記冷房運転及び暖房運転のときに通常閉の蒸気バイパス弁を設け，前記冷房運転中において，前記第２容器側の温度が前記第１容器側の温度よりも低くなったとき，前記蒸気圧縮機の回転を停止する一方，前記蒸気バイパス弁を開く構成にした。」
ことを特徴としている。
【００１１】
請求項２は，
「前記請求項１の記載において，前記冷房運転中において前記蒸気バイパス弁を開くときにおける当該蒸気バイパス弁の開度を，前記第１容器側の温度又は前記第２容器側の温度に応じて，この温度が下がると小さく，この温度が上がると大きくするように制御する一方，前記暖房運転中において前記蒸気圧縮機を逆回転しているときの回転数を，前記第１容器側の温度又は前記第２容器側の温度に応じて，この温度が下がると加速し，この温度が上がると減速するように制御する。」
ことを特徴としている。
【００１２】
請求項３は，
「前記請求項１の記載において，前記冷房運転中において前記蒸気バイパス弁が開くときにおける当該蒸気バイパス弁の開度を，前記第１容器側の温度又は前記第２容器側の温度に応じて，この温度が下がると小さく，この温度が上がると大きくするように制御する一方，前記暖房運転中において，前記蒸気バイパス弁を，前記第１容器側の温度又は前記第２容器側の温度上昇に比例して開くように制御する。」
ことを特徴としている。
【発明の効果】
【００１３】
前記請求項１の記載において，冷房運転を行うときには，前記蒸気バイパス弁を閉じた状態で前記蒸気圧縮機を，前記第１容器から前記第２容器の方向に蒸気圧縮を行うように正方向に回転することにより，前記第１容器における蒸発性液体は沸騰蒸発にて所定温度に冷却されたのち冷暖房用熱交換器に送られたのち再び前記第１容器に戻って沸騰蒸発することを繰り返す一方，前記第１容器内での沸騰蒸発にて発生した蒸気は前記蒸気圧縮機にて圧縮されたのち前記第２容器に至り，この第２容器における蒸発性液体にて凝縮され，この蒸気凝縮にて温度が高くなった蒸発性液体は放吸熱用熱交換器に送られて大気空気との熱交換にて冷却されたのち再び前記第２容器に戻って蒸気を凝縮することを繰り返すから，冷暖房箇所の冷房を行うことができる。
【００１４】
また，暖房運転を行うときには，前記蒸気バイパス弁を閉じた状態で前記蒸気圧縮機を，今度は，前記第２容器から前記第１容器の方向に蒸気圧縮を行うように逆方向に回転することにより，前記第２容器における蒸発性液体は沸騰蒸発にて所定温度に冷却されたのち放吸熱用熱交換器に送られ，ここで大気空気との熱交換にて暖められたのち再び前記第２容器に戻って沸騰蒸発することを繰り返す一方，前記第２容器内での沸騰蒸発にて発生した蒸気は前記蒸気圧縮機で圧縮されたのち前記第１容器に至り，この第１容器における蒸発性液体にて凝縮され，この蒸気の凝縮にて温度が高くなった蒸発性液体は冷暖房用熱交換器に送られたのち再び前記第１容器に戻って蒸気を凝縮することを繰り返すから，冷暖房箇所の暖房を行うことができる。
【００１５】
そして，前記冷房運転中において，季節の変化等に伴い大気の温度が低くなることで第２容器側の温度が前記第１容器側の温度よりも低い温度にまで下がったとき，前記蒸気圧縮機における正方向の回転が停止することにより，冷房運転中のうち大気温度が低くなった状態でのランニングコストの低減を達成することができる。
【００１６】
その一方で，前記蒸気圧縮機に対するバイパス蒸気通路中の蒸気バイパス弁が開くことにより，前記第１容器において発生した蒸気は前記バイパス蒸気通路を通って第２容器に流れることになるから，前記第１容器における沸騰蒸発が，前記蒸気圧縮機の停止で止まることを確実に防止でき，ひいては，前記第１容器における沸騰蒸発による蒸発性液体の冷却を持続できることにより，前記第１容器から冷暖房箇所における冷暖房用熱交換器に供給する蒸発性液体の温度が，前記蒸気圧縮機の停止で所定温度を越えて上昇することを確実に阻止できる。
【００１７】
つまり，冷房運転と暖房運転とを，前記冷房運転中におけるランニングコストの低減を図りながら確実に達成できる。
【００１８】
次に，前記請求項１の記載を前提として請求項２の記載にすることにより，冷房運転のうち前記蒸気圧縮機を停止し蒸気バイパス弁を開いた状態において，前記第１容器側の温度又は前記第２容器側の温度が下がると，前記蒸気バイパス弁の開度が小さくなって，第１容器から第２容器に流れる蒸気の流量が減少されることにより，前記第１容器における温度の低下を防止できる一方，前記第１容器側の温度又は前記第２容器側の温度が上がると，前記蒸気バイパス弁の開度が大きくなって，第１容器から第２容器に流れる蒸気の流量が増加されることにより，前記第１容器における温度の上昇を防止できるから，冷房運転の際に，前記第１容器から冷暖房箇所に供給する蒸発性液体の温度を，所定温度に近い値に維持することができる。
【００１９】
一方，前記蒸気圧縮機を逆回転しての暖房運転中において，前記第１容器側の温度又は前記第２容器側の温度が下がると，前記蒸気圧縮機における逆回転の回転数が加速することになって，第２容器から第１容器に向かって圧縮される蒸気量が増大することにより，前記第１容器における温度の低下を防止できる一方，前記第１容器側の温度又は前記第２容器側の温度が上がると，前記蒸気圧縮機における逆回転の回転数が減速することになって，第２容器から第１容器に向かって圧縮される蒸気量が減少することにより，前記第１容器における温度の上昇を確実に防止できるから，暖房運転の際においても，前記第１容器から冷暖房箇所に供給する蒸発性液体の温度を，所定温度に近い値に維持することができる。
【００２０】
そして，前記第１容器から冷暖房箇所に供給する蒸発性液体の温度を，暖房運転中においても所定温度に近い値に維持することは，請求項３に記載したように構成することによっても達成できる。
【００２１】
すなわち，前記暖房運転のときにおいて，前記蒸気バイパス弁が開くことにより，前記蒸気圧縮機の逆回転によって第２容器から第１容器に向かって圧縮された蒸気の一部が，蒸気圧縮機をバイパスして第２容器の方向に逆流することになるから，前記蒸気圧縮機にて圧縮された蒸気のうち実際に第１容器に入る蒸気量は，前記逆流する分だけ減少することになる。
【００２２】
この場合，前記蒸気バイパス弁は，前記第１容器側の温度又は前記第２容器側の温度上昇に比例して開くように制御されていることにより，実際に第１容器に入る蒸気量は，前記第１容器側の温度又は前記第２容器側の温度上昇に比例して減少することになって，前記第１容器側における温度の上昇を確実に防止できるから，暖房運転の際においても，前記第１容器から冷暖房箇所に供給する蒸発性液体の温度を，所定温度に近い値に維持することができる。
【発明を実施するための最良の形態】
【００２３】
以下，本発明の実施の形態を図面について説明する。
【００２４】
図１は，第１の実施の形態を示す。
【００２５】
この図１において，符号１は，密閉構造にした第１容器を，符号２は，同じく密閉構造にした第２容器を各々示し，これら両容器１，２のうちいずれか一方又は両方には，前記第１容器１及び前記第２容器２内の両方を大気圧より低い減圧にするための真空ポンプ３等の真空発生装置が接続されている。
【００２６】
前記第１容器１内に入れた水等の蒸発性液体は，循環ポンプ４にて汲み出し冷暖房用循環管路５を介して間接熱交換式の冷暖房用熱交換器６に送られたのち，冷暖房用循環管路７を介して再び前記第１容器１内の上部にノズル８から噴出するように戻るという循環を行うように構成されている。
【００２７】
また，前記第２容器２内に入れた水等の蒸発性液体は，循環ポンプ９にて汲み出し放吸熱用循環管路１０を介して密閉型に構成した放吸熱用熱交換器１１に送られたのち，放吸熱用循環管路１２を介して再び前記第２容器２内の上部にノズル１３から噴出するように戻るという循環を行うように構成されている。
【００２８】
この場合，前記冷暖房用熱交換器６は，室内等のような冷暖房箇所１４に，当該冷暖房箇所１４における空気と間接的に熱交換するように設置されている。
【００２９】
一方，前記放吸熱用熱交換器１１は，屋外に設置した通風塔１１ａと，その内部に設けた密閉構造の伝熱管１１ｂとを備えて，前記第２容器２内における蒸発性液体が前記伝熱管１１ａの内部との間を循環するように構成する一方，前記通風塔１１ａ内において，前記伝熱管１１ｂの外側を，ポンプ１１ｃにて循環する水を散布することに加えて，フアン１１ｄにて大気の空気を強制通風するように構成している。
【００３０】
なお，前記第１容器１と前記第２容器２の相互間は，その各々における水等の蒸発性液体が互いに往来するように，底部における連通路１５を介して接続されている。
【００３１】
また，前記第１容器１の上部と前記第２容器２の上部の間は，蒸気ダクト１６を介して接続され，この蒸気ダクト１６の途中には，回転式蒸気圧縮機における一つの例であるところのルーツ式圧縮機１７が設けられている。
【００３２】
このルーツ式圧縮機１７は，正逆回転が可能であるとともに回転数が変更可能である電動モータ２１又は内燃機関等の動力源からの直接又はベルト等を介しての動力伝達にて回転するように駆動されている。
【００３３】
更に，前記蒸気ダクト１６には，前記ルーツ式圧縮機２０を迂回するバイパス蒸気通路１９が設けられ，このバイパス蒸気通路１９の途中には，蒸気バイパス弁２０を設けている。
【００３４】
前記図１において，符号２１は，コントローラであり，このコントローラ２１は，前記第１容器１又は前記冷暖房用循環管路５，７に設けた温度センサー２２，及び前記第２容器２又は放吸熱用循環管路１０，１２に設けた温度センサー２３等を入力として，ルーツ式圧縮機１７及び前記蒸気バイパス弁２０を，以下に述べるように制御するという構成である。
【００３５】
すなわち，前記コントローラ２１は，冷房運転を行うときには，前記バイパス蒸気通路２０を閉じて，前記ルーツ式圧縮機１７を，実線矢印２４で示すように，前記第１容器１から前記第２容器２の方向に蒸気圧縮を行うように正方向に回転する。
【００３６】
また，前記コントローラ２１は，暖房運転を行うときには，前記バイパス蒸気通路２０を閉じて，前記ルーツ式圧縮機１７を，今度は，点線矢印２５で示すように，前記第２容器２から前記第１容器１の方向に蒸気圧縮を行うように逆方向に回転する。
【００３７】
更にまた，前記コントローラ２１は，前記冷房運転中において，前記第２容器２側の温度が，季節の変化等により，前記第１容器１側の温度よりも低い状態になったときに，前記ルーツ式圧縮機１７における正方向の回転を停止する一方，前記蒸気バイパス弁２０を開くように作動することに加えて，前記蒸気バイパス弁２０が開いているときにおける開度を，前記第２容器２側の温度又は前記第１容器１側の温度に応じて，この温度が下がると小さく，この温度が上がると大きくするように制御するという構成にしている。
【００３８】
この構成において，冷房運転を行うときには，前記蒸気バイパス弁２０を閉じた状態で前記ルーツ式圧縮機１７を，前記第１容器１から前記第２容器２の方向に蒸気圧縮を行うように正方向に回転することにより，前記第１容器１における蒸発性液体は沸騰蒸発にて所定温度に冷却されたのち冷暖房箇所１４における冷暖房用熱交換器６に送られたのち再び前記第１容器１に戻って沸騰蒸発することを繰り返す一方，前記第１容器１内での沸騰蒸発にて発生した蒸気は前記ルーツ式圧縮機１７にて圧縮されたのち前記第２容器２に至り，ここにおける蒸発性液体にて凝縮され，この蒸気凝縮にて温度が高くなった蒸発性液体は放吸熱用熱交換器１１に送られてここでの大気空気との熱交換にて冷却されたのち再び前記第２容器２に戻って蒸気を凝縮することを繰り返すから，冷暖房箇所の冷房を行うことができる。
【００３９】
一方，暖房運転を行うときには，前記蒸気バイパス弁２０を閉じた状態で前記ルーツ式圧縮機１７を，今度は，前記第２容器２から前記第１容器１の方向に蒸気圧縮を行うように逆方向に回転することにより，前記第２容器２における蒸発性液体は沸騰蒸発にて所定温度に冷却されたのち放吸熱用熱交換器１１に送られ，ここで大気空気との熱交換にて暖められたのち再び前記第２容器２に戻って沸騰蒸発することを繰り返す一方，前記第２容器２内での沸騰蒸発にて発生した蒸気は前記ルーツ式圧縮機１７で圧縮されたのち前記第１容器１に至り，ここにおける蒸発性液体にて凝縮され，この蒸気凝縮にて温度が高くなった蒸発性液体は冷暖房箇所１４における冷暖房用熱交換器６に送られたのち再び前記第１容器１に戻って蒸気を凝縮することを繰り返すから，冷暖房箇所の暖房を行うことができる。
【００４０】
そして，前記冷房運転中において，季節の変化等により大気の温度が低くなることで，前記第２容器２側の温度が，第１容器１側の温度よりも低くなる状態になった場合には，前記ルーツ式圧縮機１７が回転停止される一方，前記バイパス蒸気通路１９における蒸気バイパス弁２０が開いて，前記第１容器１において発生した蒸気は，前記バイパス蒸気通路１９を通って第２容器２側に流れることになるから，前記第１容器１における沸騰蒸発が，前記ルーツ式圧縮機１７の回転停止で止まることを確実に防止でき，ひいては，前記第１容器１における沸騰蒸発による蒸発性液体の冷却を持続できることにより，前記第１容器１から冷暖房箇所１４における冷暖房用熱交換器に供給する蒸発性液体の温度が，前記ルーツ式圧縮機１７の回転停止で前記所定温度を越えて上昇することを確実に阻止できる（このような運転状態を，ルーツ式圧縮機１７を回転停止するということで，フリークーリングと称する）。
【００４１】
この場合（フリークーリング）においては，前記第１容器１における蒸発性液体の温度は，第２容器２側の温度，ひいては，大気温度の変化によって変動することに加えて，冷暖房箇所１４における熱負荷の増減によっても変動するが，前記蒸気バイパス弁２０が開いているときにおける当該蒸気バイパス弁２０の開度を，前記第２容器２側の温度又は前記第１容器１側の温度に応じて，この温度が下がると小さく，この温度が上がると大きくするように制御するという構成にしていることにより，前記冷暖房箇所１４に供給する蒸発性液体の温度を，当該冷暖房箇所１４において必要とする所定温度（例えば，冷房の場合には，２０℃）に近い値に維持できる。
【００４２】
ところで，前記冷房運転中において，前記ルーツ式圧縮機１７を正方向に回転する一方前記蒸気バイパス弁２０を閉じている状態から，前記ルーツ式圧縮機１７を回転停止して前記蒸気バイパス弁２０を開くように切り換えるときにおける温度は，前記第１容器１における蒸気のバイパス蒸気通路１９を通って第２容器２への流れを確保するために，前記第２容器２側の温度が第１容器１側の温度よりも約５℃以上に低い温度に設定することが好ましく，例えば，冷暖房箇所１４において必要とする所定温度が２０℃である場合には，前記第２容器２側の温度が，１５℃以下に下がったときに，前記ルーツ式圧縮機１７を回転停止して前記蒸気バイパス弁２０を開くに切り換えるように構成する。
【００４３】
なお，前記冷房運転に際しては，前記コントローラ２１により，前記ルーツ式圧縮機１７における正方向への回転数を，前記第２容器２側の温度又は第１容器１側の温度に応じて，この温度が高くなると加速し，この温度が低くなると減速するように制御するという構成にすることができる。
【００４４】
この構成によると，冷暖房箇所１４に供給する蒸発性液体の温度を，大気温度の変化及び冷房負荷の変化に対して，冷房運転の全ての領域にわたって，所定温度（例えば，２０℃）に近い値に維持することができる。
【００４５】
また，前記コントローラ２１は，前記した制御に加えて，前記暖房運転中において，前記ルーツ式圧縮機１７における逆回転の回転数を，前記第１容器１側の温度又は前記第２容器２側の温度に応じて，この温度が下がると加速し，この温度が上がると減速するように制御するという構成にしている。
【００４６】
この構成により，暖房運転中において，前記第１容器１側の温度又は前記第２容器２側の温度が下がると，前記ルーツ式圧縮機１７における逆回転の回転数が加速することになって，第２容器２から第１容器１に向かって圧縮される蒸気量が増大することにより，前記第１容器１における温度の低下を確実に防止できる一方，前記第１容器１側の温度又は前記第２容器２側の温度が上がると，前記ルーツ式圧縮機１７における逆回転の回転数が減速することになって，第２容器２から第１容器１に向かって圧縮される蒸気量が減少することにより，前記第１容器１における温度の上昇を確実に防止できるから，暖房運転の際においても，前記第１容器１から冷暖房箇所１４に供給する蒸発性液体の温度を，所定温度に近い値に維持することができる。
【００４７】
或いは，前記第１容器から冷暖房箇所１４に供給する蒸発性液体の温度を，暖房運転中においても所定温度に近い値に維持することは，前記ルーツ式圧縮機１７における逆回転の回転数を前記コントローラ２１にて前記したように制御することに代えて，前記蒸気バイパス弁２０を前記コントローラ２１にて以下に述べるように制御することによっても達成できる。
【００４８】
すなわち，前記コントローラ２１は，前記ルーツ式圧縮機１７における逆回転しての暖房運転中において，前記蒸気バイパス弁２０を，前記第１容器１側の温度又は前記第２容器２側の温度上昇に比例して開くように制御するという構成にしている。
【００４９】
この構成において，暖房運転中に前記前記蒸気バイパス弁２０が開くことにより，前記ルーツ式圧縮機１７の逆回転によって第２容器２から第１容器１に向かって圧縮された蒸気の一部が，ルーツ式圧縮機１７をバイパスしてその上流側である第２容器２の方向に逆流することになるから，前記ルーツ式圧縮機１７にて圧縮された蒸気のうち実際に第１容器１に入る蒸気量は，前記逆流する分だけ減少することになる。
【００５０】
そして，前記蒸気バイパス弁２０は，前記第１容器１側の温度又は前記第２容器２側の温度上昇に比例して開くように制御されていることにより，実際に第１容器１に入る蒸気量は，前記第１容器１側の温度又は前記第２容器２側の温度上昇に比例して減少することになって，前記第１容器１側における温度の上昇を確実に防止できるから，暖房運転の際においても，前記第１容器１から冷暖房箇所１４に供給する蒸発性液体の温度を，所定温度に近い値に維持することができる。
【００５１】
次に，図２は，第２の実施の形態を示す。
【００５２】
前記第１の実施の形態は，前記第２容器２における蒸発性液体を密閉型の放吸熱用熱交換器１１に送って大気と間接的に熱交換する場合であったが，この第２の実施の形態は，前記第２容器２における蒸発性液体と大気との間接的な熱交換に，開放型の放吸熱用熱交換器２６を使用した場合であり，その他の構成は，前記第１の実施の形態の場合と同様である。
【００５３】
すなわち，この第２の実施の形態における開放型の冷却用熱交換器２６は，不凍液を入れた流体室２６ａ内に密閉型の伝熱管２６ｂを設けて，この伝熱管２６ｂの内部と前記第２容器２との間を，前記第２容器２内における蒸発性液体が循環するようにして，前記流体室２６ａ内において，前記第２容器２における蒸発性液体と，当該流体室２６ａ内に入れた不凍液との間で間接的な熱交換を行うように構成する一方，フアン２６ｃによる強制通風の通風塔２６ｄ内に，ラシヒリング等の充填層２６ｅを設け，この通風塔２６ｄの底に溜まる前記不凍液を循環ポンプ２６ｆにて汲み出して，前記流体室２６ａ内に供給し，次いで，この流体室２６ａ内における不凍液を前記通風塔２６ｄ内における充填層２６ｅに対してノズル２６ｇにて散布して，この充填層２６ｅを流下するという循環を行うことにより，前記不凍液を，前記通風塔２６ｄ内における大気空気との直接接触にて熱交換し，この熱交換したあとの不凍液と，前記第２容器２と前記伝熱管２６ｂ内との間を循環する蒸発性液体とを間接的に熱交換するように構成したものである。
【００５４】
この第２の実施の形態においては，前記第１容器１内及び第２容器２内を大気圧よりも低い減圧に保った状態のもとで，「開放型の冷却用熱交換器２６」を使用することができる。また，大気との熱交換に不凍液を使用することにより，大気温度が氷点以下に下がった場合において，前記第２容器２における蒸発性液体に凍結が発生することを確実に回避できる。
【００５５】
従って，前記した請求項１のうち「大気との間で熱交換を行う放吸熱用熱交換器」には，前記第１の実施の形態において説明した「密閉型の放吸熱用熱交換器１１」は勿論のこと，前記第２の実施の形態において説明した「開放型の放吸熱用熱交換器２６」を当然に含むものである。
【００５６】
なお，前記各実施の形態において，第１容器１における蒸発性液体及び第２容器２における蒸発性液体としては，前記各実施の形態として説明した水か，又は各種の水溶液に限らず，アルコール等のようなその他の蒸発性液体を使用することができるほか，これら水等の蒸発性液体に不凍結剤，防蝕剤，防錆剤又は防スケール剤を適宜添加しても良いことはいうまでもない。
【００５７】
また，正逆回転可能な回転式の蒸気圧縮機としては，前記各実施の形態で説明したルーツ式圧縮機に限らず，可変翼式圧縮機又はねじ式圧縮機等のような正逆回転可能な回転式圧縮機を使用することができる。
【図面の簡単な説明】
【００５８】
【図１】本発明の第１の実施の形態を示す図である。
【図２】本発明の第２の実施の形態を示す図である。
【符号の説明】
【００５９】
１                      第１容器
２                      第２容器
３                      真空ポンプ
５，７                  冷暖房用循環管路
６                      冷暖房用熱交換器
１０，１２              放吸熱用循環管路
１１，２６              放吸熱用熱交換器
１４                    冷暖房箇所
１５                    連通路
１６                    蒸気ダクト
１７                    ルーツ式圧縮機（蒸気圧縮機）
１９                    バイパス蒸気通路
２０                    蒸気バイパス弁
２１                    コントローラ
２２，２３              温度センサー
【図１】
2008261604.tif 000003
【図２】
2008261604.tif 000004